(57)【要約】【課題】加熱器や温度センサを備えた専用の気腹チューブを用いることなく体腔に至る直前のガスの温度を測定可能とし、患者の体腔内に入るガスの温度及び湿度を制御する。【解決手段】送気ガス温度測定部９９を、測定管路１０２に覆われた棒状の支柱１０３と、支柱１０３上に固定される温度センサ１０４ａ，１０４ｂ，１０４ｃ，１０４ｄとにより構成し、各温度センサの距離と出力との二値系列データから送気ガスの温度特性を求めることにより、加熱ホース等の加熱器や温度センサを備えた専用の気腹チューブを用いることなく体腔に至る直前のガスの温度を測定し、送気ガスの温度と湿度とを制御して気腹チューブ内の結露や送気ガスの温度低下を防止する。【選択図】    図３
2004159687.tif 000002
【特許請求の範囲】
【請求項１】
患者の体腔内に注入するための所定の気体を所定の圧力で送気可能な送気源と、
管状部材により構成され、基端部を前記送気源と接続すると共に、先端部に接続されて前記患者の体腔内に挿入可能な挿入部から前記体腔内に前記所定の気体を注入可能な気体注入手段と、
前記管状部材により形成された管路内の前記所定の気体の温度を変更可能な温度変更手段と、
前記温度変更手段により温度変更される前記所定の気体に対して、前記管路の下流を流れる前記所定の気体の温度を、流れ方向に所定の間隔を空けた前記管路の複数の位置で検出可能な温度検出手段と、
前記温度検出手段の検出結果に基づいて、前記所定の気体の流れる距離に対する温度変化と関係する係数を算出可能な係数算出手段と、
前記挿入部から前記患者の体腔内に送出される前記所定の気体が所定の温度になるように、前記係数算出手段により算出された係数に基づいて前記温度変更手段を制御可能な温度制御手段と、
を有することを特徴とする送気装置。
【請求項２】
患者の体腔内に注入するための所定の気体を所定の圧力で送気可能な送気源と、
管状部材により構成され、基端部を前記送気源と接続すると共に、先端部に設けられた前記患者の体腔内に挿入可能な挿入部から前記体腔内に前記所定の気体を注入可能な気体注入手段と、
前記管状部材により形成された管路内の前記所定の気体の温度を変更可能な温度変更手段と、
前記温度変更手段により温度変更される前記所定の気体に対して、前記管路の下流を流れる前記所定の気体の温度を、流れ方向に所定の間隔を空けた前記管路の複数の位置で検出可能な温度検出手段と、
前記温度検出手段の検出結果に基づいて、前記所定の気体の流れる距離に対する温度変化の関係する係数を算出可能な係数算出手段と、
前記係数から前記患者の体腔内に送出される直前での前記気体の温度を算出する温度算出手段と、
を有することを特徴とする送気装置。
【請求項３】
前記温度算出手段により算出された温度に基づいて前記温度変更手段を制御可能な温度制御手段と、
を有することを特徴とする請求項２に記載の送気装置。
【発明の詳細な説明】
【０００１】
【発明の属する技術分野】
本発明は、体腔内に炭酸ガス等の送気ガスを供給する送気装置に関する。
【０００２】
【従来の技術】
近年、患者への侵襲を少なくするために、開腹することなく内視鏡で処置具と処置部位とを観察しながら治療処置を行う腹腔鏡外科手術が行われている。この腹腔鏡外科手術は、観察用の内視鏡を腹腔内に導くトラカールと処置具を処置部に導くトラカールとを患者の腹部に刺して行われる。その際、内視鏡の観察視野や処置空間を確保するために、例えば炭酸ガス等の医療用ガスが送気装置によって制御され、腹腔内に注入される。
【０００３】
ところで、腹腔内に送気されるガスは水分を含有しないか、或いは含有量が極めて僅かである。こうしたガスを患者の腹腔に直接供給すると、体内の水分が失われて患者に悪影響を及ぼす虞がある。さらに、患者は、室温、麻酔による中枢神経の抑制、送気ガス或いは送水等の要因で体温が低下してシバリングといわれる震え症状を引き起こすことがある。このため、ウォーマーマット等を患者の体にかけて保温したり、体腔内に送気する送気ガスを体温近傍まで加熱する等の方法が取られている。
【０００４】
体内に送気するガスを加湿する従来例としては、例えば特開２００１−３４０４６０号公報に開示の技術がある。この先行技術は、送気ガスを加湿するために水蒸気透過膜を応用したものであり、送気ガスを安全かつ簡便に加湿することができる。
【０００５】
また、体腔内に送気するガスを加熱する従来例としては、例えば特公平７−１１０２７６号公報に開示の技術がある。この先行技術は、腹腔内にガスを供給する注入器と、送気ガスを加熱する加熱ホースと、加熱ホースの末端に設けられた温度センサとを備えた送気装置に関するものであり、患者の腹腔に入る直前の送気ガスを加熱するとともに、温度を測定して患者の腹腔内に送気される送気ガスの温度を制御する。
【０００６】
【特許文献１】
特開２００１−３４０４６０号公報
【０００７】
【特許文献２】
特公平７−１１０２７６号公報
【０００８】
【発明が解決しようとする課題】
特許文献１に開示された加湿器は、腹腔に極めて近接した位置で加湿を行うことが必要であり、例えば、加湿したガスが長い送気チューブ（気腹チューブ）を通過した場合には、腹腔に達するまでにガスが冷却され、水蒸気が気腹チューブ内で結露する虞がある。
【０００９】
一方、特許文献２に開示された送気装置は、加熱ホースの末端に設けた温度センサによって患者の腹腔に入る直前の送気ガスの温度を測定することができる。
このため、特許文献１に開示された加湿器に適用すれば、上記の問題は解決できると思われる。
【００１０】
しかしながら、特許文献２に開示された技術を特許文献１の技術に適用するためには、気腹チューブをすべて加熱ホースにしなければならない上に、温度センサの出力リード線を用意しなければならない。
【００１１】
一般に、気腹チューブは、手術台付近が混雑することを避けるために長めのものが用意される。従って、通常の気腹チューブに代えて、加熱ホース等の加熱器や温度センサを備えた専用の気腹チューブを利用する場合、チューブ長さが長くなり、消費電力の浪費や装置の価格の増大に繋がるといった問題が生じる。
【００１２】
本発明は上記事情に鑑みてなされたもので、加熱器や温度センサを備えた専用の気腹チューブを用いることなく体腔に至る直前のガスの温度を測定可能とし、患者の体腔内に入るガスの温度及び湿度を制御することのできる送気装置を提供することを目的としている。
【００１３】
【課題を解決するための手段】
上記目的を達成するため、本発明による第１の送気装置は、患者の体腔内に注入するための所定の気体を所定の圧力で送気可能な送気源と、管状部材により構成され、基端部を前記送気源と接続すると共に、先端部に接続されて前記患者の体腔内に挿入可能な挿入部から前記体腔内に前記所定の気体を注入可能な気体注入手段と、前記管状部材により形成された管路内の前記所定の気体の温度を変更可能な温度変更手段と、前記温度変更手段により温度変更される前記所定の気体に対して、前記管路の下流を流れる前記所定の気体の温度を、流れ方向に所定の間隔を空けた前記管路の複数の位置で検出可能な温度検出手段と、前記温度検出手段の検出結果に基づいて、前記所定の気体の流れる距離に対する温度変化と関係する係数を算出可能な係数算出手段と、前記挿入部から前記患者の体腔内に送出される前記所定の気体が所定の温度になるように、前記係数算出手段により算出された係数に基づいて前記温度変更手段を制御可能な温度制御手段とを有することを特徴とする。
【００１４】
本発明による第２の送気装置は、患者の体腔内に注入するための所定の気体を所定の圧力で送気可能な送気源と、管状部材により構成され、基端部を前記送気源と接続すると共に、先端部に設けられた前記患者の体腔内に挿入可能な挿入部から前記体腔内に前記所定の気体を注入可能な気体注入手段と、前記管状部材により形成された管路内の前記所定の気体の温度を変更可能な温度変更手段と、前記温度変更手段により温度変更される前記所定の気体に対して、前記管路の下流を流れる前記所定の気体の温度を、流れ方向に所定の間隔を空けた前記管路の複数の位置で検出可能な温度検出手段と、前記温度検出手段の検出結果に基づいて、前記所定の気体の流れる距離に対する温度変化の関係する係数を算出可能な係数算出手段と、前記係数から前記患者の体腔内に送出される直前での前記気体の温度を算出する温度算出手段とを有することを特徴とする。
【００１５】
その際、第２の送気装置では、前記温度算出手段により算出された温度に基づいて前記温度変更手段を制御可能な温度制御手段を備えることが望ましい。
【００１６】
【発明の実施の形態】
以下、図面を参照して本発明の実施の形態を説明する。図１〜図４は本発明の実施の第１形態に係わり、図１は医療用の内視鏡システムを用いて内視鏡的手術を行う場合の装置及び使用状態を示す説明図、図２は送気装置の具体的な構成を示す説明図、図３は送気ガス温度測定部の構成を示す説明図、図４は送気ガスの温度特性を表すグラフである。
【００１７】
図１に示すように本実施形態の内視鏡システム１は、例えば基端部に接眼部２１を有する内視鏡２と、この内視鏡２に照明光を供給する光源装置３と、処置部位の止血を行ったり組織の切除を行う高周波焼灼装置４と、視野及び処置領域を確保するために腹腔内を膨らませる送気ガスを供給する送気装置５とで主に構成されている。
【００１８】
患者の腹部には前記内視鏡２や手術器具を腹腔内に導くための挿通孔を有するガイド管であるトラカール６，７が穿刺されており、内視鏡２が挿通される挿通孔６ａを有するトラカール６には、塩化ビニールやフッ素樹脂、シリコン等で形成された気腹チューブ８の一端部が着脱用コネクタ８１によって着脱自在に取り付けられるようになっている。また、トラカール７の挿通孔７ａには、例えば高周波処置具４１が挿通されている。
【００１９】
前記内視鏡２と光源装置３とは、内視鏡２の基端部側部から延出するライトガイドケーブル２２に設けられているライトガイドコネクタ２３によって着脱自在に接続される構成になっており、前記光源装置３に設けられているランプ３１で発生した照明光がレンズ３２によって前記ライトガイドケーブル２２の端面に集光されるようになっている。このライトガイドケーブル２２の端面に集光された照明光は、このライトガイドケーブル２２を挿通しているライトガイドファイバ束を介して内視鏡２の先端部２４まで伝送されて被写体を照らすようになっている。そして、この先端部２４から出射された照明光は、被写体で反射し、内視鏡２内に被写体像を結像させ、この被写体像が図示しない観察光学系を介して接眼部２１まで伝送されるようになっている。
【００２０】
前記高周波焼灼装置４と高周波処置具４１とは、この高周波処置具４１の基端側から延出するアクティブコード４２を介して高周波焼灼装置４に設けられているアクティブ電極４３に電気的に接続されている。また、高周波焼灼装置４の患者電極４４には人体の皮膚に密着するように柔軟性でシート状に形成した患者プレート４５が接続されている。この高周波焼灼装置４のアクティブ電極４３及び患者電極４４は、装置内部に設けられた高周波電力を発生するＨＦ出力アンプ４６に接続されている。
【００２１】
前記トラカール６に一端部が着脱自在に接続される気腹チューブ８の他端部は、送気装置５に設けられている送気口金５１に着脱自在に接続されるようになっている。また、送気装置５には高圧口金５２が設けられており、この高圧口金５２には高圧送気ガス用チューブ５３の一端部が接続され、高圧送気ガス用チューブ５３の他端部は気体貯蔵手段としての送気ガスボンベ５４に接続されるようになっている。送気ガスボンベ５４には、例えば液化した二酸化炭素が充填されている。
【００２２】
気体貯蔵手段としての送気ガスボンベ５４は、気体貯蔵手段から気体を送出する送出部としての送気装置５内のバルブユニット９と共に送気源を形成し、この送気源からの気体が、管状部材からなる気腹チューブ８と患者の体腔内に挿入可能な挿入部としてのトラカール６（気復チューブ８をトラカール７に接続する場合には、トラカール７）とにより形成される気体注入手段により、患者の体腔内に送出される。すなわち、送気ガスボンベ５４に充填されている液状の二酸化炭素は、気化されて送気装置５内のバルブユニット９を通って所定の圧力に減圧された後、気腹チューブ８、トラカール６の挿通孔６ａを通って腹腔内に送り込まれる。
【００２３】
この腹腔内に送り込まれる二酸化炭素送気ガスの温度や流量は、バルブユニット９に電気的に接続された制御部５５によって制御されるようになっている。制御部５５は、バルブユニット９に対する制御機能に加え、後述するように、気体の流れ方向の距離に対する温度変化に関係する係数を算出する機能（係数算出手段）、算出された係数から患者の体腔内に送出される直前での送気ガスの温度を算出する機能（温度算出手段）、温度変更手段を制御する機能（温度制御手段）を有している。
【００２４】
尚、符号１０は手術室内の温度を測定する温度センサを備えた室温測定部であり、図の破線に示すように室温測定部１０を図示しない患者ベッドや送気装置５、焼灼装置４等の周辺装置を搭載するカートの一部など所望の位置に配置可能な構成になっている。また、前記送気ガスボンベ５４内には、例えば常温で６０Ｋｇｆ／ｃｍ２の送気ガスが充満している。
【００２５】
次に、図２を参照して送気装置５の詳細を説明する。同図に示すように前記バルブユニット９及び制御部５５を備えた送気装置５には、前記高圧口金５２から供給される送気ガスをバルブユニット９内を通って前記送気口金５１まで導く内部管路５６が設けられている。この内部管路５６には、バルブユニット９を構成する機器群が配設されており、高圧口金５２側から順に、送気ガスボンベ５４から供給される送気ガスの圧力を計測して送気ガス残量を術者に認知させる測定レンジが例えば０から１００Ｋｇｆ／ｃｍ２の第１圧力計９１、前記送気ガスボンベ５４から供給された送気ガスの圧力を例えば４Ｋｇｆ／ｃｍ２に減圧する一次減圧器９２、電気信号によって制御が可能で前記一次減圧器９２によって減圧された圧力を０から２４Ｖの制御電圧で０から１００ｍｍＨｇ（０から  ０．１３Ｋｇｆ／ｃｍ２）の範囲に減圧して送気流量を０から５０Ｌ／ｍｉｎに調節する電空比例弁９３、開閉制御が可能な第１バルブ９４、０から５０Ｌ／ｍｉｎの範囲を測定する流量センサ９５ａを備えた流量計測部９５、０から１００ｍｍＨｇの範囲を測定する第１圧力センサ９６ａ及び第２圧力センサ９６ｂ、開閉制御が可能な第２バルブ９７、この第２バルブ９７を通過した送気ガスを加湿する例えばヒータと水蒸気透過膜で構成された加湿器１０１、この加湿器１０１を通過した送気ガスを加熱する例えばヒータとサーモスタットで構成された温度変更手段としての加熱器９８、この加熱器９８で加温された送気ガスの温度を測定する温度センサを有する温度検出手段としての送気ガス温度測定部９９が配設されている。そして、前記第２バルブ９７と加湿器１０１との間で分岐した分岐管路５６ａには、前記第２バルブ９７から腹腔に至る送気ガス圧力が所定の値を超えたとき弁が開放状態になって送気ガスを大気に放出する排気弁１００が設けられている。
【００２６】
また、送気ガス温度測定部９９と送気口金５１との間には、塩化ビニールやフッ素樹脂、シリコン等で形成された測定管路１０２が配設されており、送気装置５の前面には、腹腔に送り込む送気ガスの温度や腹腔内圧力を設定する設定部や実際の腹腔内圧力や送気ガスの温度を表示する表示パネルを備えた設定表示部５７が設けられている。
【００２７】
前記設定表示部５７、第１圧力計９１、電空比例弁９３、第１バルブ９４、流量計測部９５、第１圧力センサ９６ａ、第２圧力センサ９６ｂ、第２バルブ９７、加湿器１０１、加熱器９８、送気ガス温度測定部９９、排気弁１００は制御部５５に電気的に接続されている。
【００２８】
尚、前記制御部５５には電源コネクタ５８を介して電源が供給されるようになっている。また、前記第１バルブ９４と第２バルブ９７とで腹腔圧を判断するための腹腔内圧力測定部が形成されるようになっている。つまり、一旦前記第１バルブ９４と第２バルブ９７とを閉状態にしてタンク部を形成して圧力を充填させた後、第２バルブ９７を開状態にしたときのタンク部内の圧力の変化を前記第１圧力センサ９６ａ、第２圧力センサ９６ｂで計測し、この計測値を制御部５５に伝送してこのときの降下圧力特性から腹腔内圧力を制御部内に設けられているＣＰＵによって計算で求めるようになっている。
【００２９】
図３は送気ガス温度測定部９９の構成を表したものである。送気ガス温度測定部９９は、測定管路１０２に覆われた棒状の支柱１０３と、送気ガスの流れ方向に所定の間隔で配設された複数個の温度センサ１０４ａ，１０４ｂ，１０４ｃ，１０４ｄとにより構成される。測定管路１０２と支柱１０３との間には、送気ガスの通る間隙が空いている。各温度センサ１０４ａ，１０４ｂ，１０４ｃ，１０４ｄは、支柱１０３上に固定される。支柱１０３の内部には、各温度センサ１０４ａ，１０４ｂ，１０４ｃ，１０４ｄの出力信号線が埋め込まれており、出力信号線は制御部５５に接続されている。尚、温度センサの配置については、上記実施形態に限られるものではなく、例えば、測定管路に所定の間隔をあけて設けても良い。
【００３０】
次に、以上の構成による送気装置５の動作について説明する。本実施の形態では送気を開始する前に、設定表示部５７の設定部を用いて所望の腹腔内圧力と送気ガス温度を設定する。以下では、ここで設定した腹腔内圧力値と送気ガス温度とを、それぞれ、圧力目標値、温度目標値と呼ぶ。また、第１圧力センサ９６ａ、第２圧力センサ９６ｂに基づいて送気装置５が測定した腹腔内圧力値を圧力測定値、送気ガス温度測定部９９の出力に基づいて送気装置５が測定した腹腔に至る直前の送気ガスの温度を温度測定値と呼ぶ。
【００３１】
送気を開始すると、第１バルブ９４及び第２バルブ９７の開閉制御に従って、送気ガスが流れる状態と送気ガスの流れが停止する状態とを繰り返しながら腹腔内にガスが供給され、腹腔内圧力が上昇していく。このとき、圧力目標値と圧力測定値との差が小さくなると、制御部５５から電空比例弁９３に圧力を下げる電気信号を出力して送気流量を下げたり、第２バルブ９７に開状態時間を短くする電気信号を出力して腹腔内に入る送気ガス流量を少なく調節する等して、腹腔内圧力を調整している。
【００３２】
尚、送気ガスを腹腔内に送り込んでいるとき、術者が患者の腹部を押圧したりして、圧力測定値が例えば５ｍｍＨｇ上昇した場合、制御部５５から排気弁１００に弁を開状態にする信号が出力され、排気弁１００から大気に腹腔内のガスを排出して腹腔内圧力を圧力目標値まで減圧する。
【００３３】
送気装置５は、腹腔内圧力を制御するのと同時に、送気ガスの温度と湿度の制御を行う。送気ガスの加温、加湿は、それぞれ加熱器９８、加湿器１０１で行う。加湿器１０１の加湿量は、送気を続ける間、常に一定とする。ガスに混在できる水蒸気量の限界は飽和水蒸気量として既知であるから、先の加湿量で水蒸気が飽和するガスの温度は予め知ることができる。このガスの温度を温度下限値とする。上記の温度測定値が温度下限値より小さくなったときに、制御部５５は加熱器９８を作動させて加温を開始し、温度測定値が温度目標値より大きくなったときに加熱器９８を停止させて加温を終了する。加熱器９８の加熱量は、加温を続ける間、常に一定とする。
【００３４】
次に、腹腔に至る直前の送気ガスの温度を測定する方法、すなわち、送気ガス温度測定部９９の出力をもとに送気装置５が温度測定値を得る方法について、図４を用いて説明する。
【００３５】
加熱器９８で加熱された送気ガスは、加熱器９８を離れた瞬間から冷却が始まる。加湿器１０１、送気ガス温度測定部９９、測定管路１０２、気腹チューブ８を通過する過程で、送気ガスは外部の様々な要因によってその温度を減じる。送気ガス温度測定部９９から腹腔までの間に送気ガスを加温する熱源はないものと考えると、送気ガスの温度は減少する一方である。そこで、送気ガス温度測定部９９以降におけるガスの温度特性Ｆを、下式に示すように、距離ｌが大きくなるほどに温度ｔが減少する単調減少関数で表す。
ｔ＝Ａ−Ｂ（ｌ−ｅｘｐ（−Ｃｌ））
【００３６】
ここで、上式におけるＡ、Ｂ、Ｃは未知変数であり、Ａ＞０、Ｂ＞０、Ｃ＞０とする。いま、温度センサ１０４ａ，１０４ｂ，１０４ｃ，１０４ｄの間隔は固定されているため、各温度センサ１０４ａ，１０４ｂ，１０４ｃ，１０４ｄの距離Ｌａ，Ｌｂ，Ｌｃ，Ｌｄは予め知ることができる。これを各温度センサ１０４ａ，１０４ｂ，１０４ｃ，１０４ｄの出力Ｔａ，Ｔｂ，Ｔｃ，Ｔｄと併せれば、送気ガスの温度と距離からなる二値系列データ（Ｌａ，Ｔａ）、（Ｌｂ，Ｔｂ）、（Ｌｃ，Ｔｃ）、（Ｌｄ，Ｔｄ）を得ることができる。
【００３７】
得られた二値系列データをもとに最小二乗法を用いて上式の未知変数Ａ、Ｂ、Ｃを定めると、送気ガスの温度特性Ｆを求めることができる。ここで、温度センサ１０４ｄから腹腔までの直線距離Ｌｘ、すなわち、測定管路１０２と気腹チューブ８の長さが予め知らされていれば、求めた温度特性Ｆより腹腔に至る直前の送気ガスの温度Ｔｘを知ることができる。
【００３８】
このように本実施の形態においては、加熱ホース等の加熱器や温度センサを備えた専用の気腹チューブを用いることなく体腔に至る直前のガスの温度を測定することができ、気腹チューブ内の結露や送気ガスの温度低下を防止しつつ送気ガスの温度と湿度とを制御することができる。しかも、加熱ホース等の専用の気腹チューブを用いずに済むことから、チューブ長さの増加による消費電力の浪費や装置の価格の増大に繋がるといったこともない。
【００３９】
次に、本発明の実施の第２形態について説明する。図５は本発明の実施の第２形態に係わる送気ガス温度測定部の構成を示す説明図である。
【００４０】
諸々の理由により、気腹チューブ８に測定管路１０２と同じ材質のものを用意できない場合がある。材質によっては気腹チューブ８と測定管路１０２とで温度特性が大きく異なることも考えられる。第２形態はこのような事情を鑑みてなされたものであり、送気ガス温度測定部９９と気腹チューブ８との間の測定管路１０２を廃止するものである。
【００４１】
すなわち、図５に示すように、第２形態においては、送気ガス温度測定部９９は、第１形態と異なり、温度センサ１０４ａ，１０４ｂ，１０４ｃ，１０４ｄを固定する支柱１０３が測定管路１０２によって覆われておらず、代わりに送気口金５１から突き出した形で、周囲を気腹チューブ８によって間隙を挟んで覆われている。
【００４２】
送気ガス温度測定部９９が気腹チューブ８内に突き出したことにより、温度測定部位の温度特性の相違を考慮する必要が無くなり、第１形態で説明した方法で、温度センサ１０４ａから気腹チューブ８の先端までの温度特性をより正確に求めることができる。
【００４３】
すなわち、第２形態では、第１形態よりも正確に腹腔に至る直前の送気ガスの温度を知ることができ、より精度高く送気ガスの温度と湿度とを制御することができる。また、腹腔に至る直前の送気ガスの温度をより正確に知るといった理由から気腹チューブ８の材質を限定することがなく、材質を選定する上での自由度を向上してコスト低減に寄与することができる。
【００４４】
以上の実施形態では、温度測定値が温度下限値より小さくなったとき加熱器を作動させて加温するように制御するとしたが、これに限るものではない。例えば、管路内の所望の位置での温度を算出し、算出される温度を設定表示部に表示させ、操作者が確認できるようにすることで、管路内の所望の位置での温度が温度下限値を下回った場合には操作者が加熱器の作動を手動にて調節できるよう加熱操作手段を設けても良い。また、温度下限値を下回ったことを告知できるよう、表示灯を設けても良い。
【００４５】
［付記１］
前記温度制御手段は、前記所定の気体の温度を昇温するように前記温度変更手段を制御することを特徴とする請求項１に記載の送気装置。
【００４６】
［付記２］
腹腔内に送気ガスを供給する気腹装置において、前記送気ガスを加熱する加熱手段と、前記送気ガスを加湿する加湿手段と、複数個の温度センサを備えて温度センサの測定値から腹腔に至る直前のガスの温度を測定する送気ガス温度測定手段とを具備する送気装置。
【００４７】
［付記３］
付記２に記載の気腹装置において、前記送気ガス温度測定手段によって測定された腹腔内に送気される直前のガス温度測定値をもとに、前記加熱手段及び前記加湿手段によって前記送気ガスの温度及び湿度を制御する制御手段とを具備する送気装置。
【００４８】
【発明の効果】
以上説明したように本発明によれば、加熱器や温度センサを備えた専用の気腹チューブを用いることなく体腔に至る直前のガスの温度を測定することができ、気腹チューブ内の結露や送気ガスの温度低下を防止しつつ送気ガスの温度と湿度とを制御することができる。
【図面の簡単な説明】
【図１】本発明の実施の第１形態に係わり、医療用の内視鏡システムを用いて内視鏡的手術を行う場合の装置及び使用状態を示す説明図
【図２】同上、送気装置の具体的な構成を示す説明図
【図３】同上、送気ガス温度測定部の構成を示す説明図
【図４】同上、送気ガスの温度特性を表すグラフ
【図５】本発明の実施の第２形態に係わり、送気ガス温度測定部の構成を示す説明図
【符号の説明】
１  内視鏡システム
２  内視鏡
５  送気装置
６，７  トラカール
８  気腹チューブ
９  バルブユニット
５４  送気ガスボンベ
５５  制御部
９８  加熱器
９９  送気ガス温度測定部
１０１  加湿器
１０４ａ，１０４ｂ，１０４ｃ，１０４ｄ  温度センサ
【図１】
2004159687.tif 000003
【図２】
2004159687.tif 000004
【図３】
2004159687.tif 000005
【図４】
2004159687.tif 000006
【図５】
2004159687.tif 000007